(57)【要約】【課題】従来の天井埋込み形空気調和機はエアフィルタの塵埃清掃作業を全て自動化した天井埋込み形空気調和機を得ることができなかった。【解決手段】  この発明の天井埋込み形空気調和機は、天井内に設置し、空気の吸込み口および室内に吹出す吹出し口を連通して風路を形成し、前記風路間に送風機を囲むように設置された熱交換器と、吸い込み空気中の塵埃を捕集するエアフィルタを前記送風機と熱交換器との間で、かつ前記熱交換器側に沿うように懸架状態に配設し又フィルタ駆動装置、塵埃除去装置、ドレンポンプを同時に駆動させたものである。  【選択図】        図１
2007263441.tif 000002
【特許請求の範囲】
【請求項１】
天井内に設置し、空気の吸込み口および室内に吹出す吹出し口を連通して風路を形成し、前記風路間に送風機を囲むように設置された熱交換器と、吸い込み空気中の塵埃を捕集するフィルタを前記送風機と熱交換器との間で、かつ前記熱交換器側に沿うように懸架状態に配設したことを特徴とする天井埋込み形空気調和機。
【請求項２】
フィルタ面に該フィルタ表面の塵埃を掻き落し回転清掃する清掃ブラシから成る塵埃除去装置を備えたことを特徴とする請求項１記載の天井埋込み形空気調和機。
【請求項３】
塵埃除去装置の上部に塵埃を水で洗い流す散水ノズルを備えた散水装置を設けたことを特徴とする請求項１又は請求項２記載の天井埋込み形空気調和機用フィルタの塵埃除去装置。
【請求項４】
フィルタは端部を結合したベルト状に成形され、横方向に移動させるフィルタ駆動装置によって懸架支持されるとともに、熱交換器内面側を移動するようにしたことを特徴とする請求項1、請求項２又は請求項３記載の天井埋込み形空気調和機用フィルタの塵埃除去装置。
【請求項５】
清掃ブラシはフィルタ面を回転しながら移動して該フィルタ表面の塵埃を掻き落すようにして移動用レールで支持されたことを特徴とする請求項1、請求項２又は請求項３記載の天井埋込み形空気調和機用フィルタの塵埃除去装置。
【発明の詳細な説明】
【技術分野】
【０００１】
この発明は空気調和機において、特に、天井埋込み形空気調和機のフィルタ上の塵埃を自動で清掃するフィルタ自動清掃装置に関するものである。
【背景技術】
【０００２】
従来の天井埋込み形空気調和機は、フィルタを室内空気を吸い込む吸込み口にを長時間使用すると、フィルタに空気中の塵埃が蓄積し、フィルタが目詰まり状態となっていた。この状態では、吸込み口から吸引する空気量が減少し、熱交換器で十分な熱交換が行えず、空気調和機の性能を低下させる現象が起きていた。そのため、定期的にフィルタを取外し、塵埃の除去を行う作業を必要としていた。
【０００３】
そこで、前記課題を解決するために自動で塵埃を吸引等の方法により、除去作業を行う装置が考え出され、清掃作業に必要であった労力は大きく軽減された。
【特許文献１】特開２００５−８３６１２号公報
【発明の開示】
【発明が解決しようとする課題】
【０００４】
しかしながら、従来の天井埋込み形空気調和機は、フィルタに付着した塵埃を自動で吸引するか、ブラシを使用した後、捕集ユニットに捕集する機構であり、ユニットに捕集された塵埃は定期的にユニットを取外し除去しなければならなかった。結果的に、フィルタの清掃作業は従来に比べ大幅に軽減はされたものの、取外し作業がフィルタからユニットに編かしたにすぎず、まだ人力による除去作業を必要とする課題があった。
【０００５】
この発明は、上記の課題を解決するためになされたもので、塵埃の除去から排出までを自動化することで、空気調和機における、フィルタの清掃作業を失くすことを目的としている。
【課題を解決するための手段】
【０００６】
この発明の天井埋込み形空気調和機は、天井内に設置し、空気の吸込み口および室内に吹出す吹出し口を連通して風路を形成し、前記風路間に送風機を囲むように設置された熱交換器と、吸い込み空気中の塵埃を捕集するフィルタを前記送風機と熱交換器との間で、かつ前記熱交換器側に沿うように懸架状態で配設したものである。
【発明の効果】
【０００７】
この発明の天井埋込み形空気調和機は、天井内に設置し、空気の吸込み口および室内に吹出す吹出し口を連通して風路を形成し、前記風路間に送風機を囲むように設置された熱交換器と、吸い込み空気中の塵埃を捕集するフィルタを前記送風機と熱交換器との間で、かつ前記熱交換器側に沿うように懸架状態で配設した構成としたので、フィルタ上の塵埃の除去から排出までを自動化した天井埋込み形空気調和機を得ることが可能である。
【発明を実施するための最良の形態】
【０００８】
実施の形態１．
図１はこの発明の実施の形態１における天井埋込み形空気調和機の縦断面図、図２はこの発明の実施の形態１における前記空気調和機の横断面図を示すものである。図３はこの発明の実施の形態１における天井埋込み形空気調和機の要部を示す概略図、図４は図３の要部拡大斜視図、図５はこの発明の実施の形態１における天井埋込み形空気調和機の塵埃除去装置を示す拡大断面図、図６はこの発明の実施の形態１における天井埋込み形空気調和機の塵埃を含むドレン排出を示す概略図である。
【０００９】
図において、下方中央吸込み口１ａ、またその周囲に吹出し口１ｂを設けた化粧パネル１を下面に設けた天井埋込み形空気調和機２は中央に送風機３とこの送風機３を取り囲み送風機３により前記吸込み口１ａより吸込み、前記吹出し口１ｂから吹出す室内空気を熱交換する断面略四角形状の熱交換器４を形成している。フィルタ端部を結合したベルト状のフィルタ５は前記送風機３と熱交換器４との間に設けられ、端部に可撓状態で所定ピッチの歯穴５ａを穿設し、かつ前記断面略四角形状の熱交換器４側に沿うようにようベルト状の一端を支持ローラ５ｂで支持され、前記熱交換器４の角曲部内側に一対の固定ローラ５ｃと前記ベルト状のフィルタの歯穴５ａに噛合いエンドレスに横方向に移動させる歯車６ａを回転駆動させるフィルタ駆動装置６を他端部に設けて前記天井埋込み形空気調和機に懸架状態に支持されている。前記ドレンパン７は前記熱交換器４の下方に位置している。フィルタ５に捕集された室内空気中の塵埃は、前記空気調和機２の内側に取付けられた塵埃除去装置８により除去される。前記塵埃除去装置８は、回転電動機８ａに軸８ｂにより固定された清掃ブラシ８ｃにより前記フィルタ５に付着した埃を掻き落す。この掻き落とされるフィルタ５に付着した埃を前記熱交換器４下方に位置された前記ドレンパン７で捕集するように前記清掃ブラシ８ｃの上方から塵埃を水により洗い落とす散水ノズル９ａを備えた散水装置９を前記塵埃除去装置８に一体的に設けている。ドレンポンプ１０は、前記ドレンパン７に前記塵埃除去装置８に一体に設けた散水装置９の散水ノズル９ａからの水により洗い流され捕集された塵埃を、前記熱交換器４により生成され前記ドレンパン７に捕集されたドレン水とともに空気調和機２外に排出する。
【００１０】
このように構成された実施の形態１による天井埋込み形空気調和機において、空気は化粧パネル１中央の吸込み口１ａから吸込まれ、空気調和機２内部の送風機３、フィルタ５、熱交換器４を経由して吹出し口１ｂから吹出される。この時、空気中の塵埃は吸込み口１ａと吹出し口１ｂの中間に設置されたエアフィルタ５に捕集蓄積される。蓄積された塵埃は、フィルタ駆動装置６と塵埃除去装置８と散水装置９とドレンポンプ１０とを定期的にほぼ同時に運転開始し、フィルタ駆動装置６によりフィルタ５をエンドレスに移動させ、塵埃除去装置８の回転清掃ブラシ８ｃによって掻き落とすとともに、清掃ブラシ８ｃに同時に散水装置９のノズル９ａから滴下された水によって洗い流されドレンパン７に溜められ、かつ前記フィルタ駆動装置６および前記塵埃除去装置８の清掃ブラシ８ｃとともに同時に回転作動させたドレンポンプ１０により空気調和機２外に排出され清掃を終わるものである。
【００１１】
以上のような、構成にすることによって、自動でフィルタの表面全体を清潔に清掃することが可能である。
【００１２】
また、実施の形態１の他の実施例である天井埋込み形空気調和機では、フィルタ５は前記送風機３と熱交換器４との間に設けられ、フィルタ５端部に内面側に摩擦力を有する可撓ベルト１２を形成し、かつ前記熱交換器４側に沿うようによう複数のゴムローラ１３と前記エンドレスフィルタの可撓ベルト１２に摩擦力を有してエンドレスに横方向に移動させるゴム状の駆動装置１４により前記天井埋込み形空気調和機に懸架状態に支持されている。
【００１３】
さらに、実施の形態１の他の実施例による天井埋込み形空気調和機では、断面略四角形状の熱交換器４の内側に沿うように単一フィルタ１５が懸架支持されている。この単一フィルタ１５の内面側には単一フィルタ１５により捕集され塵埃を掻き落とす塵埃除去装置８が本体２天面２ａに設けた移動用レール１６に摺動支持されている。この塵埃除去装置８は前記実施の形態１と同様なので、説明を省く。
【００１４】
この実施の形態１の他の実施例による天井埋込み形空気調和機では、フィルタ１５の一端から内面を清掃ブラシ８ｃを始動させ回転しながらレール１６上を摺動するとともに、散水装置９による散水を同時にすることで、掻き落とされた塵埃を下方ドレンパン７に溜める。ドレンパン７に溜められた塵埃は、通常運転で生成されたドレンとともに、ドレンポンプ１０により空気調和機本体２外に排出されるものである。
【図面の簡単な説明】
【００１５】
【図１】この発明の実施の形態１における天井埋込み形空気調和機を示す縦断面図である。
【図２】この発明の実施の形態１における天井埋込み形空気調和機を示す横断面図である。
【図３】この発明の実施の形態１における天井埋込み形空気調和機の要部を示す概略図である
【図４】この発明の実施の形態１における天井埋込み形空気調和機の要部拡大斜視図である。
【図５】この発明の実施の形態１における天井埋込み形空気調和機の塵埃除去装置を示す概略図である。
【図６】この発明の実施の形態１における天井埋込み形空気調和機の塵埃を含むドレン排出を示す概略図である。
【図７】この発明の実施の形態１における他の天井埋込み形空気調和機の要部を示す概略図である。
【図８】この発明の実施の形態１における他の天井埋込み形空気調和機を示す横断面図である。
【図９】この発明の実施の形態１における他の天井埋込み形空気調和機の要部を示す拡大断面図である。
【符号の説明】
【００１６】
１  化粧パネル、２  空気調和機、３  送風機、４  熱交換器、５  フィルタ、６  フィルタ駆動装置、７  ドレンパン、８  塵埃除去装置、８ａ  回転電動機、８ｂ  軸、８ｃ  清掃ブラシ、９  散水装置、９ａ  散水ノズル、１０  ドレンポンプ、１１  ドレン管、１２  可撓ベルト、１３  ゴムローラ、１５  単一フィルタ、１６  移動用レール。
【図１】
2007263441.tif 000003
【図２】
2007263441.tif 000004
【図３】
2007263441.tif 000005
【図４】
2007263441.tif 000006
【図５】
2007263441.tif 000007
【図６】
2007263441.tif 000008
【図７】
2007263441.tif 000009
【図８】
2007263441.tif 000010
【図９】
2007263441.tif 000011